(57)【要約】【課題】外乱光ノイズが含まれるリモコン信号の中から目的の信号を高精度に抽出できるようにしたリモコン用受信制御装置を提供する。【解決手段】受光素子（光電変換素子）１１で受信した光を電気信号に変換する。その電気信号をＡ／Ｄ変換器３１で、高速にデジタル電気信号に変換する。このデジタル電気信号は、ＦＦＴ処理手段４１に送られて、高速フーリエ変換される。すなわち、デジタル電気信号から効率良く周波数成分を抽出する。外乱光２を高精度に除去するために、時間的な変化分（差分スペクトラム）を計算する。この変化分の中に、リモコン信号２１の周波数成分があるかどうかを判定する。また、受光素子１１の代わりに、分光器１２と受光素子群１３（光電変換素子）とを備え、ＦＦＴ処理手段４１の代わりに入力処理手段４５を備えても外乱光２を高精度に除去することができる。【選択図】図１
2006270258.tif 000002
【特許請求の範囲】
【請求項１】
光信号を受信する受信手段と、
前記受信手段が受信した光信号をフーリエ変換により周波数スペクトラムに変換する信号変換手段と、
前記信号変換手段で変換された周波数スペクトラムと所定時間経過後に前記信号変換手段で変換された周波数スペクトラムとの差分である差分スペクトラムを算出する差分処理手段と、
あらかじめ定めた基準となる周波数スペクトラムと前記差分スペクトラムとを比較照合する比較処理手段と、
前記比較処理手段の結果に基づいて前記光信号が正常な光信号であるかどうかを判定する判定処理手段とを有する
ことを特徴とするリモコン用受信制御装置。
【請求項２】
光信号を受信して該光信号をスペクトル分解するための分光器と、前記分光器がスペクトル分解した光をその強度に対応した電気信号に変換するための複数の周波数別に設置した光電変換素子とを有する受信手段と、
前記光電変換素子で変換された電気信号の時間的な変化を測定する入力処理手段と、
前記入力処理手段で測定された時間的な変化を示す電気信号の差分を差分スペクトラムとして算出する差分処理手段と、
あらかじめ定めた基準となる周波数スペクトラムと前記差分スペクトラムとを比較照合する比較処理手段と、
前記比較処理手段の結果に基づいて前記光信号が正常な光信号であるかどうかを判定する判定処理手段とを有する
ことを特徴とするリモコン用受信制御装置。
【請求項３】
前記基準となる周波数スペクトラムは、
外乱のない条件のもとで、光信号を周波数スペクトラムに変換したものである
ことを特徴とする請求項１または２に記載のリモコン用受信制御装置。
【請求項４】
前記請求項１〜３のいずれかに記載のリモコン用受信制御装置を備えた
ことを特徴とする赤外線通信装置。
【発明の詳細な説明】
【技術分野】
【０００１】
本発明は、音声や映像、データ等の情報信号を送信するリモコン（遠隔制御装置）からの信号を受信するリモコン用受信制御装置及びそれを備えた赤外線通信装置に関するものである。
【背景技術】
【０００２】
従来、受光素子によって受光された信号を、ミクサ回路で、受光素子が応答可能な周波数領域外の高周波数に周波数変換する赤外線デジタルデータ通信装置が開示されている（例えば、特許文献１）。この赤外線デジタルデータ通信装置は、周波数変換した信号の中から目的の信号が含まれる周波数帯域のみを中間周波フィルタを介して抽出していた。
【０００３】
また、多重反射波の受波信号の周波数スペクトルと超音波センサの動特性に基づく基本反射波の周波数スペクトルとの差である差分スペクトルを求め、その差分スペクトルを解析する超音波センサを用いた非破壊検査法が開示されている（例えば、特許文献２）。この非破壊検査法は、ＦＦＴ（高速フーリエ変換）等を用いて電気信号を周波数スペクトルに変換していた。
【０００４】
【特許文献１】特開平１０−２２９２３号公報（第４頁、第４図）
【特許文献２】特開２００３−１４９２１４号公報（第４頁及び第５頁、第４図）
【発明の開示】
【発明が解決しようとする課題】
【０００５】
上記の赤外線デジタルデータ通信装置は、信号をあらかじめ外乱光ノイズの予想想定値よりも高周波数の副搬送波信号に変調し、その変調された信号を受光素子で受光するようにしていた。すなわち、送信側では外乱光ノイズの周波数よりも高い周波数に変調した信号を送信し、受信側では受信した信号をさらに高周波数に変換することで、外乱光ノイズを送受信する信号に含めないようにしていた。
【０００６】
しかしながら、外乱光ノイズは周波数の低いものばかりではない。近年のように、赤外線を使用した通信装置が数多く存在する場合には、それらの通信装置から送信される信号でさえも外乱光ノイズの一つとなり得る。したがって、これらの信号の中には予想想定値よりも高い周波数に変調されたものも存在するために、信号の周波数の高低のみではすべての外乱光ノイズを除去することはできなかった。
【０００７】
また、上記の非破壊検査法は、多重反射波の受波信号をＦＦＴ等により周波数スペクトルに変換し、それと超音波センサの動特性に基づく基本反射波の周波数スペクトルとから差分スペクトルを求め、その差分スペクトルを解析することで検査対象物（例えば、ビルやトンネル）の内部状態を高精度かつ容易に検査するようにしていた。すなわち、変換した周波数スペクトルと基本反射波の周波数スペクトラムとの比較を解析に利用していた。
【０００８】
しかしながら、その変換した周波数スペクトルは、時間の経過とともに大きな変化を伴うものではない。送受信する信号には、外的要因（例えば、蛍光灯の点灯／消灯や通信装置の電源ＯＮ／ＯＦＦ等）の影響で外乱光ノイズが含まれてしまう。この外乱光ノイズは、時間の経過とともに変化するものであり定まった形式を有するものではない。したがって、差分スペクトルから基本となる周波数スペクトルを抽出することはできなかった。
【０００９】
本発明は、上記のような課題を解決するためになされたもので、外乱光ノイズが含まれるリモコン信号の中から目的の信号を高精度に抽出できるようにしたリモコン用受信制御装置及びそれを備えた赤外線通信装置を提供することを目的とする。
【課題を解決するための手段】
【００１０】
本発明に係るリモコン用受信制御装置は、光信号を受信する受信手段と、前記受信手段が受信した光信号を高速フーリエ変換により周波数スペクトラムに変換する信号変換手段と、前記信号変換手段で変換された周波数スペクトラムと所定時間経過後に前記信号変換手段で変換された周波数スペクトラムとの差分である差分スペクトラムを算出する差分処理手段と、あらかじめ定めた基準となる周波数スペクトラムと前記差分スペクトラムとを比較照合する比較処理手段と、前記比較処理手段の結果に基づいて前記光信号が正常な光信号であるかどうかを判定する判定処理手段とを有することを特徴とする。
【００１１】
本発明に係るリモコン用受信制御装置は、光信号を受信して該光信号をスペクトル分解するための分光器と、前記分光器がスペクトル分解した光をその強度に対応した電気信号に変換するための複数の周波数別に設置した光電変換素子とを有する受信手段と、前記光電変換素子で変換された電気信号の時間的な変化を測定する入力処理手段と、前記入力処理手段で測定された時間的な変化を示す電気信号の差分を差分スペクトラムとして算出する差分処理手段と、あらかじめ定めた基準となる周波数スペクトラムと前記差分スペクトラムとを比較照合する比較処理手段と、前記比較処理手段の結果に基づいて前記光信号が正常な光信号であるかどうかを判定する判定処理手段とを有することを特徴とする。
【発明の効果】
【００１２】
本発明に係るリモコン用受信制御装置は、光信号を受信する受信手段と、前記受信手段が受信した光信号を高速フーリエ変換により周波数スペクトラムに変換する信号変換手段と、前記信号変換手段で変換された周波数スペクトラムと所定時間経過後に前記信号変換手段で変換された周波数スペクトラムとの差分である差分スペクトラムを算出する差分処理手段と、あらかじめ定めた基準となる周波数スペクトラムと前記差分スペクトラムとを比較照合する比較処理手段と、前記比較処理手段の結果に基づいて前記光信号が正常な光信号であるかどうかを判定する判定処理手段とを有するので、光学フィルタ等を使用することなくリモコンからの光信号に含まれる外乱ノイズを高精度で除去することが可能になる。
【００１３】
本発明に係るリモコン用受信制御装置は、光信号を受信して該光信号をスペクトル分解するための分光器と、前記分光器がスペクトル分解した光をその強度に対応した電気信号に変換するための複数の周波数別に設置した光電変換素子とを有する受信手段と、前記光電変換素子で変換された電気信号の時間的な変化を測定する入力処理手段と、前記入力処理手段で測定された時間的な変化を示す電気信号の差分を差分スペクトラムとして算出する差分処理手段と、あらかじめ定めた基準となる周波数スペクトラムと前記差分スペクトラムとを比較照合する比較処理手段と、前記比較処理手段の結果に基づいて前記光信号が正常な光信号であるかどうかを判定する判定処理手段とを有するので、光学フィルタ等を使用することなくリモコンからの光信号に含まれる外乱ノイズを高精度で除去することが可能になる。
【発明を実施するための最良の形態】
【００１４】
以下、本発明の実施の形態を図面に基づいて説明する。
実施の形態１．
図１は、本発明の実施の形態１に係るリモコン用受信制御装置５０の全体構成を示すブロック図である。リモコン用受信制御装置５０は、音声や映像、データ等の情報信号を送受信する空気調和機やテレビ等の通信装置に備えられている。ここでは、リモコン用受信制御装置５０が空気調和機６０に備えられている場合を例に示している。
【００１５】
リモコン用受信制御装置５０は、受光手段１０と信号処理手段３０とを有している。受光手段１０は、遠隔制御装置であるリモコン２０から送信されるリモコン信号２１を受信するものである。この受光手段１０には、光信号であるリモコン信号２１を電気信号に変換（光電変換）する受光素子１１が設けられている。受光素子１１は、受信したリモコン信号２１の光の量に応じてリモコン信号２１をアナログ電気信号に変更するものである。なお、この受光素子１１は、光信号を電気信号に光電変換できるものであればよい。
【００１６】
信号処理手段３０は、Ａ／Ｄ変換器３１とマイクロコンピュータ４０とを備えている。Ａ／Ｄ変換器３１は、受光素子１１で変換されたアナログ電気信号を十分な分解能を持ってデジタル電気信号に変換するものである。マイクロコンピュータ４０は、高速フーリエ変換処理手段４１（以下、ＦＦＴ処理手段４１と称する）と差分処理手段４２と比較処理手段４３と判定処理手段４４とを有している。ＦＦＴ処理手段４１は、信号変換手段としての機能を果たすものであり、デジタル電気信号を周波数スペクトラムＦ（ｆ、ｔ０）に高速フーリエ変換するものである。
【００１７】
ＦＦＴ処理手段４１は、デジタル電気信号を周波数スペクトラムＦ（ｆ、ｔ０）に変換した後、所定時間（Δｔ）経過後に、そのデジタル電気信号をさらに周波数スペクトラムＦ（ｆ、ｔ０＋Δｔ）に変換するようになっている。差分処理手段４２は、ＦＦＴ処理手段４１で変換された周波数スペクトラムＦ（ｆ、ｔ０）と所定時間（Δｔ）経過後に変換されたＦ（ｆ、ｔ０＋Δｔ）との差分を算出するものである。すなわち、差分処理手段４２はＦ（ｆ、ｔ０＋Δｔ）−Ｆ（ｆ、ｔ０）で差分スペクトラムを算出するようになっている。
【００１８】
比較処理手段４３は、差分処理手段４２の算出した差分スペクトラムをリモコン信号２１の固有の周波数スペクトラム（固有スペクトラム）の集合｛Ｒ（ｆ、ｔ）｜ｆ∈Ω、ｔ∈（０、ｔ）｝と比較照合するものである。判定処理手段４４は、比較処理手段４３の比較結果から、その差分スペクトラムが固有スペクトラムの集合の中に含まれているかどうかの判定を行なうものである。すなわち、その差分スペクトラムがリモコン信号２１を周波数スペクトラムに変換したものであるかどうかを判定しているのである。
【００１９】
なお、ＦＦＴ処理手段４１が変換した周波数スペクトラムＦ（ｆ、ｔ０）やＦ（ｆ、ｔ０＋Δｔ）、差分処理手段４２が算出した差分スペクトラムＦ（ｆ、ｔ０＋Δｔ）−Ｆ（ｆ、ｔ０）、比較処理手段４３が差分スペクトラムを照合する固有スペクトラムの集合｛Ｒ（ｆ、ｔ）｜ｆ∈Ω、ｔ∈（０、ｔ）｝は、図示省略の記憶手段に記憶しておくとよい。この記憶手段は、不揮発メモリやＨＤＤ（ハードディスク装置）等で構成するとよい。
【００２０】
リモコン信号２１には、通常、蛍光灯１や太陽光、他の赤外線通信装置の送受信信号等の外乱光２が混入してしまう。つまり、その外乱光２がノイズとなって、その中にリモコン信号２１が隠れてしまう。そうなると、リモコン信号２１を受信したリモコン用受信制御装置は、リモコン信号２１の要求に応じることができないという受信障害が発生する。本発明に係るリモコン用受信制御装置５０は、外乱光２の中から必要なリモコン信号２１を高精度に抽出することを可能にしたものである。
【００２１】
図２は、外乱光２を含むリモコン信号２１の周波数スペクトラムを示す説明図である。図２（ａ）は、リモコン信号２１が受信された際（ｔｉｍｅ＝０）に変換された周波数スペクトラムを示すものである。図２（ｂ）は、リモコン信号２１が受信された後、所定時間経過後（ｔｉｍｅ＝Δｔ）に変換された周波数スペクトラムを示すものである。図２（ｃ）は、それらの差分を示すものである。横軸は周波数を縦軸はレベルをそれぞれ示している。
【００２２】
図２に示すように、外乱光２を含むリモコン信号２１を周波数スペクトラムに変換すると、リモコン信号２１の周波数スペクトラムなのか外乱光２の周波数スペクトラムなのかを特定することができない。すなわち、リモコン信号２１の周波数スペクトラムが外乱光２の周波数スペクトラムの中に埋もれて隠れてしまっているのである。そこで、リモコン信号２１の周波数スペクトラムのみを抽出するために、所定時間（Δｔ）経過後に外乱光２を含むリモコン信号２１を周波数スペクトラムに再度変換し、その差分スペクトラムを算出するようにしているのである。
【００２３】
図３は、リモコン用受信制御装置５０の動作の流れを示すフローチャートである。図３に基づいて、リモコン用受信制御装置５０の動作処理を説明する。まず、リモコン２０からリモコン信号２１（光信号）が送信される（ステップＳ１０１）。そのリモコン信号２１には蛍光灯１等から発せられる外乱光２（いわゆる、暗ノイズ）が含まれてしまう。そのために、リモコン信号２１が外乱光２の中に埋もれて隠れてしまい、リモコン信号２１が入力されたにもかかわらず、リモコン信号２１の要求に応えられない状況が発生してしまうことになる。
【００２４】
この外乱光２を含んだリモコン信号２１は、受光手段１０の受光素子１１で受信（受光）される（ステップＳ１０２）。受光素子１１では、受信したリモコン信号２１の光の量（強度）に応じた電圧が発生し、それがアナログ電気信号となって信号処理手段３０に送られる（ステップＳ１０３）。このアナログ電気信号は、信号処理手段３０のＡ／Ｄ変換器３１に入力し、十分な分解能を持って、デジタル電気信号に高速変換される（ステップＳ１０４）。そして、このデジタル電気信号は、信号処理手段３０内のマイクロコンピュータ４０のＦＦＴ処理手段４１に送られる。
【００２５】
ＦＦＴ処理手段４１は、リアルタイムでデジタル電気信号を高速フーリエ変換する演算処理が行われる（ステップＳ１０５）。つまり、デジタル電気信号は、ＦＦＴ処理手段４１で周波数スペクトラムに変換されるようになっている。このスペクトラムとは、デジタル電気信号が持つ成分を周波数毎に分解し、横軸を周波数、縦軸をレベルとして表したものである。このように、デジタル電気信号をスペクトラムとして周波数領域で捉えて、その変化を測定するようにして、リモコン信号２１を抽出するようにした。
【００２６】
そして、ＦＦＴ処理手段４１は、デジタル電気信号を周波数スペクトラムＦ（ｆ、ｔ０）（図２（ａ）参照）に変換した後、所定時間（Δｔ）間隔でデジタル電気信号を周波数スペクトラムＦ（ｆ、ｔ０＋Δｔ）（図２（ｂ）参照）に変換する（ステップＳ１０６）。これは、リモコン信号２１には時間の経過とともに変化する外乱光２が含まれており、受信した際の周波数スペクトラムだけでは、高精度にリモコン信号２１の抽出ができないからである。
【００２７】
リモコン信号２１の周波数スペクトラムは、リモコン２０からの要求に対応した所定の形式を有するものとなるが、外乱光２の周波数スペクトラムは時間の経過とともに変化し所定の形式を有さない。つまり、受信した際の周波数スペクトラムだけではリモコン信号２１の周波数スペクトラムと区別できないのである。同様に、所定時間（Δｔ）経過後の周波数スペクトラムだけでもリモコン信号２１の周波数スペクトラムと区別できないのである。
【００２８】
したがって、リモコン信号２１を抽出するために、受信した際の周波数スペクトラムと所定時間（Δｔ）経過後の周波数スペクトラムとを利用するようにした。すなわち、受信した際の周波数スペクトラムと所定時間（Δｔ）経過後の周波数スペクトラムとの差分に基づいて、外乱光２の中に埋もれてしまったリモコン信号２１を抽出するようにしているのである。
【００２９】
このように、受信した際の周波数スペクトラムと所定時間（Δｔ）経過後の周波数スペクトラムとから所定形式の周波数スペクトラムを抽出すれば、その所定形式の周波数スペクトラムがリモコン信号２１を示すものであるということになり、高精度にリモコン信号２１を抽出することが可能になるのである。言い換えれば、高精度にリモコン信号２１に含まれている外乱光２を除去することが可能になるのである。
【００３０】
差分処理手段４２は、ＦＦＴ処理手段４１で変換された周波数スペクトラムＦ（ｆ、ｔ０）と周波数スペクトラムＦ（ｆ、ｔ０＋Δｔ）との差分を算出する（ステップＳ１０７）。すなわち、周波数スペクトラムＦ（ｆ、ｔ０＋Δｔ）−Ｆ（ｆ、ｔ０）を求める。そうすると、図２（ｃ）で示すような差分部分（リモコン信号２１の周波数スペクトラム）が抽出できる。
【００３１】
一方、あらかじめ外乱光２を含まない条件下でリモコン信号２１を受信し、そのリモコン信号２１を周波数スペクトラムにＦＦＴ処理手段４１で変換した、リモコン信号２１の固有スペクトラムの集合｛Ｒ（ｆ、ｔ）｜ｆ∈Ω、ｔ∈（０、ｔ）｝を記憶手段に記憶しておく。この固有スペクトラムとは、リモコン２０で操作される要求に対応したリモコン信号２１を周波数スペクトラムに変換したものであり、基準となる周波数スペクトラムとなるものである。
【００３２】
なお、基準となる周波数スペクトラムは、外乱光２のない条件のもとで、周波数スペクトラムに変換されたデジタル電気信号の周波数スペクトラムであり、あらかじめ記憶手段に記憶しておくとよい。固有スペクトラムの集合は、リモコン２０で操作される種々の要求に対応したリモコン信号２１を周波数スペクトラムに変換した固有スペクトラムの集合である。
【００３３】
比較処理手段４３は、差分処理手段４２が算出した差分スペクトラムと記憶手段に記憶されている固有スペクトラムの集合との比較照合を行なう（ステップＳ１０８）。すなわち、固有スペクトラムの集合の中に差分スペクトラムと一致するものがあるかどうか照合するようになっている。その結果を受けた判定処理手段４４は、受光素子１１が受信した信号の中にリモコン２０からのリモコン信号２１が含まれているかどうか判定する（ステップＳ１０９）。つまり、受信したリモコン信号２１が正常なリモコン信号２１であるか判定するのである。
【００３４】
判定処理手段４４は、正常なリモコン信号２１が含まれていると判定した場合には（ステップＳ１０９；Ｙｅｓ）、リモコン信号２１のパルス幅のカウンタを進める等のリモコン信号２１からの要求に対応した処理を実行する（ステップＳ１１０）。すなわち、判定処理手段４４は、リモコン信号２１が含まれていると判定した場合には、従来のリモコン信号２１の解読処理等（例えば、デコード処理等）により、リモコン信号２１からのコマンドを判定するのである。
【００３５】
以上のように、受光素子１１で受信した外乱光２を含むリモコン信号２１の周波数スペクトラム分析を行っているために、リモコン信号２１だけを高精度に抽出することが可能になる。また、外乱光２を除去するための光学フィルタを設ける必要がなく、送信側においてリモコン信号２１に特別な処理を施すような変調処理をする必要もないのである。したがって、費用を低減しつつリモコン信号２１の到達品質を向上させることができる。
【００３６】
実施の形態２．
図４は、本発明の実施の形態２に係るリモコン用受信制御装置５０ａの全体構成を示すブロック図である。実施の形態１と共通する部分については同符号を付し説明は省略する。リモコン用受信制御装置５０ａは、受光手段１０に分光器１２と受光素子群１３とを備え、ＦＦＴ処理手段４１の代わりに入力処理手段４５を備えている。
【００３７】
分光器１２は、光信号であるリモコン信号２１のスペクトル分解を行なうものである。受光素子群１３は、スペクトル分解されたリモコン信号２１を周波数毎にアナログ電気信号に変換（光電変換）するものである。入力処理手段４５は、配列構造となっているデジタル電気信号の時間的な変化を測定するものである。
【００３８】
図５は、リモコン用受信制御装置５０ａの動作の流れを示すフローチャートである。図５に基づいて、リモコン用受信制御装置５０ａの動作処理を説明する。まず、リモコン２０からリモコン信号２１（光信号）が送信される（ステップＳ２０１）。この外乱光２を含んだリモコン信号２１は、受光手段１０の分光器１２で受信（受光）される（ステップＳ２０２）。
【００３９】
分光器１２では、この外乱光２を含んだリモコン信号２１のスペクトル分解が行なわれる。そして、受光素子群１３では、リモコン信号２１を周波数毎にパラレルのアナログ電気信号に変換する（ステップＳ２０３）。すなわち、受光素子群１３は、光電変換素子として機能するものであり、周波数毎にスペクトル分解されたリモコン信号２１をその強度に対応したパラレルのアナログ電気信号に変換するのである。また、受光素子群１３は、光信号であるリモコン信号２１の周波数別に複数設置されている。このとき、複数のアナログ電気信号が存在することになるが、これは光信号のスペクトルの分解能に比例して、個数が増大するようになっている。
【００４０】
なお、リモコン２０から送信されるリモコン信号２１の使用している周波数帯近傍に、受光素子群１３を近接するようにしておき、その受光素子群１３の周波数幅をなるべく細かく設定するようにしておくとよい。そうすれば、リモコン信号２１の周波数に高精度に対応することが可能になり、リモコン信号２１の到達品質を向上させることができる。そして、受光素子群１３で変換されたパラレルのアナログ電気信号は、Ａ／Ｄ変換器３１に送られる。
【００４１】
Ａ／Ｄ変換器３１は、パラレルのアナログ電気信号をデジタル電気信号に変換する（ステップＳ２０４）。なお、Ａ／Ｄ変換器３１で変換されたデジタル電気信号は、周波数帯別に記憶手段に記憶しておくとよい。Ａ／Ｄ変換器３１で変換されたデジタル電気信号は、時系列的に次から次へと、入力処理手段４５に送られる。入力処理手段４５は、デジタル電気信号が配列構造となっていて、デジタル電気信号の時間的な変化を測定する（ステップＳ２０５）。なお、デジタル電気信号の配列構造は記憶手段に記憶しておくとよい。
【００４２】
入力処理手段４５の測定した値に基づいて、差分処理手段４２が時間的に変化するデジタル電気信号の差分を差分スペクトラムとして算出する（ステップＳ２０６）。そして、比較処理手段４３は、差分スペクトラムと記憶手段に記憶されている基準となる周波数スペクトラムとを比較照合する（ステップＳ２０７）。基準となる周波数スペクトラムは、外乱光２のない条件のもとで、周波数スペクトラムに変換されたデジタル電気信号の周波数スペクトラムであり、記憶手段に記憶されているものとする。
【００４３】
比較処理手段４３は、差分処理手段４２が算出した差分スペクトラムと記憶手段に記憶されている基準となる周波数スペクトラムとの比較照合を行なう（ステップＳ２０７）。すなわち、基準となる周波数スペクトラムと差分スペクトラムとが一致するものがあるかどうか照合するようになっている。その結果を受けた判定処理手段４４は、分光器１２が受信した信号の中にリモコン２０からのリモコン信号２１が含まれているかどうか判定する（ステップＳ２０８）。つまり、受信したリモコン信号２１が正常なリモコン信号２１であるか判定するのである。
【００４４】
判定処理手段４４は、正常なリモコン信号２１が含まれていると判定した場合には（ステップＳ２０８；Ｙｅｓ）、リモコン信号２１のパルス幅のカウンタを進める等のリモコン信号２１からの要求に対応した処理を実行する（ステップＳ２０９）。すなわち、判定処理手段４４は、リモコン信号２１が含まれていると判定した場合には、従来のリモコン信号２１の解読処理（例えば、デコード処理等）により、リモコン信号２１からのコマンドを判定するのである。
【００４５】
以上のように、リモコン信号２１を分光器１２と受光素子群１３とを使用して、電気信号に変換するようにしているため、実施の形態１のように高速な演算処理を実行することが可能になる。すなわち、ＦＦＴ処理手段４１を使用しなくても、ＦＦＴ処理手段４１と同様なデジタル電気信号の周波数スペクトラムを瞬時に得ることができるのである。また、外乱光２を除去するための光学フィルタを設ける必要がなく、送信側においてリモコン信号２１に特別な処理を施すような変調処理をする必要もないのである。したがって、費用を低減しつつリモコン信号２１の到達品質を向上させることができる。
【図面の簡単な説明】
【００４６】
【図１】リモコン用受信制御装置の全体構成を示すブロック図である。
【図２】外乱光を含むリモコン信号の周波数スペクトラムを示す説明図である。
【図３】リモコン用受信制御装置の動作の流れを示すフローチャートである。
【図４】リモコン用受信制御装置の全体構成を示すブロック図である。
【図５】リモコン用受信制御装置の動作の流れを示すフローチャートである。
【符号の説明】
【００４７】
１  蛍光灯、２  外乱光、１０  受光手段、１１  受光素子、１２  分光器、１３  受光素子群、２０  遠隔制御装置（リモコン）、２１  リモコン信号、３０  信号処理手段、３１  Ａ／Ｄ変換器、４０  マイクロコンピュータ、４１  ＦＦＴ処理手段、４２  差分処理手段、４３  比較処理手段、４４  判定処理手段、４５  入力処理手段、５０  リモコン用受信制御装置、５０ａ  リモコン用受信制御装置、６０  空気調和機。
【図１】
2006270258.tif 000003
【図２】
2006270258.tif 000004
【図３】
2006270258.tif 000005
【図４】
2006270258.tif 000006
【図５】
2006270258.tif 000007